【手続補正書】
【提出日】平成22年3月5日(2010.3.5)
【手続補正１】
【補正対象書類名】特許請求の範囲
【補正対象項目名】全文
【補正方法】変更
【補正の内容】
【特許請求の範囲】
【請求項１】
図柄を表示可能な表示手段を有し、遊技者の始動開始操作に基づいて複数種の小役を含む役の抽選を行い、当該抽選により当選した役に対応する図柄が前記表示手段に表示された場合に前記当選した役を入賞とする遊技機であって、
前記複数の役のうちの所定の小役の当選が複数回可能な第１の状態を制御する第１の制御手段であって、前記表示手段に停止表示された図柄の表示が前記第１の制御手段の起動条件に対応する図柄の表示である場合に起動されて前記第１の状態を制御し、前記所定の小役が所定回数当選した場合、又は所定回数の遊技を行った場合に前記第１の状態の制御を終了する第１の制御手段と、
前記第１の制御手段を複数回起動可能な第２の状態を制御する第２の制御手段であって、前記表示手段に停止表示された図柄の表示が前記第２の制御手段の起動条件に対応する図柄の表示である場合に起動されて前記第２の状態を制御し、前記第２の状態において前記第１の制御手段を起動する場合、第１の制御手段を起動させるための図柄の表示を前記表示手段に停止表示することなく前記第１の制御手段を起動して以後に行われる遊技を制御する第２の制御手段と
を備えたことを特徴とする遊技機。
【請求項２】
図柄を表示可能な表示手段を有し、遊技者の始動開始操作に基づいて複数種の小役を含む役の抽選を行い、当該抽選により当選した役に対応する図柄が前記表示手段に表示された場合に前記当選した役を入賞とする遊技機であって、
前記複数の役のうちの所定の小役の当選が複数回可能な第１の状態を制御する第１の制御手段であって、前記表示手段に停止表示された図柄の表示が前記第１の制御手段の起動条件に対応する図柄の表示である場合に起動されて前記第１の状態を制御し、前記所定の小役が所定回数当選しかつ入賞した場合、又は所定回数の遊技を行った場合に前記第１の状態の制御を終了する第１の制御手段と、
前記第１の制御手段を複数回起動可能な第２の状態を制御する第２の制御手段であって、前記表示手段に停止表示された図柄の表示が前記第２の制御手段の起動条件に対応する図柄の表示である場合に起動されて前記第２の状態を制御し、前記第２の状態において前記第１の制御手段を起動する場合、第１の制御手段を起動させるための図柄の表示を前記表示手段に停止表示することなく前記第１の制御手段を起動して以後に行われる遊技を制御する第２の制御手段と
を備えたことを特徴とする遊技機。
【請求項３】
図柄を表示可能な表示手段を有し、遊技者の始動開始操作に基づいて複数種の小役を含む役の抽選を行い、当該抽選により当選した役に対応する図柄が前記表示手段に表示された場合に前記当選した役を入賞とする遊技機であって、
所定の小役の当選が複数回可能な第１の状態を制御する第１の制御手段であって、前記表示手段に停止表示された図柄の表示が前記第１の制御手段の起動条件に対応する図柄の表示である場合に起動されて前記第１の状態を制御し、前記所定の小役が所定回数当選した場合、又は所定回数の遊技を行った場合に前記第１の状態の制御を終了する第１の制御手段と、
前記第１の制御手段を複数回起動可能な第２の状態を制御する第２の制御手段であって、前記表示手段に停止表示された図柄の表示が前記第２の制御手段の起動条件に対応する図柄の表示である場合に起動されて前記第２の状態を制御し、前記第２の状態において前記第１の制御手段を起動する場合、第１の制御手段を起動させるための図柄の表示を前記表示手段に停止表示することなく前記第１の制御手段を起動して以後に行われる遊技を制御する第２の制御手段と
を備えたことを特徴とする遊技機。
【請求項４】
図柄を表示可能な表示手段を有し、遊技者の始動開始操作に基づいて複数種の小役を含む役の抽選を行い、当該抽選により当選した役に対応する図柄が前記表示手段に表示された場合に前記当選した役を入賞とする遊技機であって、
所定の小役の当選が複数回可能な第１の状態を制御する第１の制御手段であって、前記表示手段に停止表示された図柄の表示が前記第１の制御手段の起動条件に対応する図柄の表示である場合に起動されて前記第１の状態を制御し、前記所定の小役が所定回数当選しかつ入賞した場合、又は所定回数の遊技を行った場合に前記第１の状態の制御を終了する第１の制御手段と、
前記第１の制御手段を複数回起動可能な第２の状態を制御する第２の制御手段であって、前記表示手段に停止表示された図柄の表示が前記第２の制御手段の起動条件に対応する図柄の表示である場合に起動されて前記第２の状態を制御し、前記第２の状態において前記第１の制御手段を起動する場合、第１の制御手段を起動させるための図柄の表示を前記表示手段に停止表示することなく前記第１の制御手段を起動して以後に行われる遊技を制御する第２の制御手段と
を備えたことを特徴とする遊技機。
【請求項５】
前記第２の制御手段は、前記第１の制御手段が前記第１の状態の制御を終了したことに続いて、前記第１の制御手段の起動条件に対応する図柄の表示を前記表示手段に停止表示することなく、前記第１の制御手段を再度起動する再起動手段を更に有する
ことを特徴とする請求項１乃至４いずれか１項に記載の遊技機。
【請求項６】
前記第２の制御手段は、前記第１の制御手段が前記第１の状態の制御を終了したことに続いて、前記第１の制御手段の起動条件に対応する図柄の表示を前記表示手段に停止表示することなく、前記第１の状態の制御終了後５００ミリ秒以内に前記第１の制御手段を再度起動する再起動手段を更に有する
ことを特徴とする請求項１乃至４いずれか１項に記載の遊技機。
【請求項７】
前記第２の制御手段は、前記第１の制御手段が前記第１の状態の制御を終了したことに続いて、前記第１の制御手段の起動条件に対応する図柄の表示を前記表示手段に停止表示することなく、前記第１の状態の制御終了後５ミリ秒以上５００ミリ秒以内に前記第１の制御手段を再度起動する再起動手段を更に有する
ことを特徴とする請求項１乃至４いずれか１項に記載の遊技機。
【手続補正２】
【補正対象書類名】明細書
【補正対象項目名】０００６
【補正方法】変更
【補正の内容】
【０００６】
このような目的を達成するために、本発明の遊技機は、図柄を表示可能な表示手段を有
し、遊技者の始動開始操作に基づいて複数種の小役を含む役の抽選を行い、当該抽選によ
り当選した役に対応する図柄が前記表示手段に表示された場合に前記当選した役を入賞と
する遊技機であって、前記複数の役のうちの所定の小役の当選が複数回可能な第１の状態
を制御する第１の制御手段であって、前記表示手段に停止表示された図柄の表示が前記第
１の制御手段の起動条件に対応する図柄の表示である場合に起動されて前記第１の状態を
制御し、前記所定の小役が所定回数当選した場合、又は所定回数の遊技を行った場合に前
記第１の状態の制御を終了する第１の制御手段と、前記第１の制御手段を複数回起動可能
な第２の状態を制御する第２の制御手段であって、前記表示手段に停止表示された図柄の
表示が前記第２の制御手段の起動条件に対応する図柄の表示である場合に起動されて前記
第２の状態を制御し、前記第２の状態において前記第１の制御手段を起動する場合、第１の制御手段を起動させるための図柄の表示を前記表示手段に停止表示することなく前記第１の制御手段を起動して以後に行われる遊技を制御する第２の制御手段とを備えたことを特徴とする。